(57)【要約】【課題】横張り形式および縦張り形式の外装パネルのいずれにも対応して、外装パネルの下端を安定に保持することができる外装パネル用役物を提供すること。【解決手段】水切り孔２Ａおよび上方へ突出する突起部５が配設された第１水平部２１と、通気孔２Ｂが配設された第２水平部２２とを有する水平板部２と、前記第１水平部２１の一端から起立する化粧部３と、前記第１水平部２１と前記第２水平部２２との間から前記化粧部３と略平行に起立する胴縁固定部４とを備え、前記化粧部３と前記胴縁固定部４との間には外装パネルの下端部が挿入可能であり、前記突起部５は、外装パネルの下端部を下方から支持可能、もしくは、外装パネルの下端部の雌実に嵌合可能な外装パネル用役物１とする。【選択図】図１
2013189769.tif 000002
【特許請求の範囲】
【請求項１】
（Ａ）左右の対向端部のうちの一方に雄実、他方に雌実が形成され、前記雄実と前記雌実との雄雌嵌合によって左右に連結される外装パネルの下端部、または、（Ｂ）上下の対向端部のうち、上端部に雄実、下端部に雌実が形成され、前記雄実と前記雌実との雄雌嵌合によって上下に連結される外装パネルのうちの最下段の外装パネルの下端部に配設される外装パネル用役物であって、
水切り孔および上方へ突出する突起部が配設された第１水平部と、通気孔が配設された第２水平部とを有する水平板部と、
前記第１水平部の一端から起立する化粧部と、
前記第１水平部と前記第２水平部との間から前記化粧部と略平行に起立する胴縁固定部とを備え、
前記化粧部と前記胴縁固定部との間には前記（Ａ）（Ｂ）の外装パネルの下端部が挿入可能であり、前記突起部は、前記（Ａ）の外装パネルの下端部を下方から支持可能であり、かつ、前記（Ｂ）の外装パネルの下端部の雌実に嵌合可能であることを特徴とする外装パネル用役物。
【請求項２】
前記突起部の突出長さは、前記（Ｂ）の外装パネルの下端部の雌実の溝深さより大きいことを特徴とする請求項１に記載の外装パネル用役物。
【発明の詳細な説明】
【技術分野】
【０００１】
本発明は、外装パネルの下端に配設される外装パネル用役物に関する。
【背景技術】
【０００２】
一般に、建物の外壁本体に胴縁を介して取り付けられる外装パネルの配設方法としては、外装パネルを外壁本体の左右方向へ組み付ける方法（縦張り形式）と、外装パネルを外壁本体の上下方向に組み付ける方法（横張り）とが知られている。
【０００３】
通常、縦張り形式の場合には、外装パネルの左右の端部に雄実、雌実が設けられ、隣接する外装パネルの雄実、雌実を雄雌嵌合させることで、外装パネルを外壁本体の左右方向へ組み付けている。一方、横張り形式の場合には、外装パネルの上下の端部に雄実、雌実が設けられ、隣接する外装パネルの雄実、雌実を雄雌嵌合させることで、外装パネルを外壁本体の上下方向へ組み付けている。
【０００４】
そして、従来、外装パネルの下端に配設される外装パネル用役物として、例えば、特許文献１、２の外装パネル用役物が知られている。
【０００５】
特許文献１の外装パネル用役物は、第一垂直材と第二垂直材の下端部が、第一水平材で連結されている。第一垂直材と第二垂直材の間に縦張り形式（下端に雄実または雌実が設けられていない）の外装パネルが挿入され、下端を保持している。
【０００６】
特許文献２の外装パネル用役物では、水切り片の途中を上方に突出させたスタート片が設けられている。このスタート片に、横張り形式の外装パネル（乾式外壁材）の下端の雌実（雌型連結部）を嵌合させることで、外装パネルの下端を保持している。
【先行技術文献】
【特許文献】
【０００７】
【特許文献１】特開2008−267073号公報
【特許文献２】特開平10-61049号公報
【発明の概要】
【発明が解決しようとする課題】
【０００８】
しかしながら、特許文献１の外装パネル用役物の場合、横張り形式の外装パネルの下端を安定に保持することは難しい。すなわち、横張り形式の外装パネルの下端には、雄実または雌実が設けられているため、第一水平材、第一垂直材、第二垂直材によって保持するのは難しく、外装パネルのぐらつきなどが生じる恐れがあると考えられる。
【０００９】
一方、特許文献２の外装パネル用役物の場合、縦張り形式の外装パネルの下端を保持することはできない。すなわち、特許文献２の外装パネル用役物では、スタート片と外装パネルの雌実との嵌合を前提としているため、例えば、下端が平坦な端面として形成されている（雌実が設けられていない）縦張り形式の外装パネルを保持することはできない。
【００１０】
このように、現状では、横張り形式および縦張り形式の外装パネルのいずれにも対応であり、外装パネルの下端を安定に保持することのできる外装パネル用役物は知られていない。
【００１１】
本発明は、以上のとおりの事情に鑑みてなされたものであり、横張り形式および縦張り形式の外装パネルのいずれにも対応して、外装パネルの下端を安定に保持することができる外装パネル用役物を提供することを課題としている。
【課題を解決するための手段】
【００１２】
上記の課題を解決するために、本発明の外装パネル用役物は、（Ａ）左右の対向端部のうちの一方に雄実、他方に雌実が形成され、前記雄実と前記雌実との雄雌嵌合によって左右に連結される外装パネルの下端部、または、（Ｂ）上下の対向端部のうち、上端部に雄実、下端部に雌実が形成され、前記雄実と前記雌実との雄雌嵌合によって上下に連結される外装パネルのうちの最下段の外装パネルの下端部に配設される外装パネル用役物であって、水切り孔および上方へ突出する突起部が配設された第１水平部と、通気孔が配設された第２水平部とを有する水平板部と、前記第１水平部の一端から起立する化粧部と、前記第１水平部と前記第２水平部との間から前記化粧部と略平行に起立する胴縁固定部とを備え、前記化粧部と前記胴縁固定部との間には前記（Ａ）（Ｂ）の外装パネルの下端部が挿入可能であり、前記突起部は、前記（Ａ）の外装パネルの下端部を下方から支持可能であり、かつ、前記（Ｂ）の外装パネルの下端部の雌実に嵌合可能であることを特徴としている。
【００１３】
この外装パネル用役物においては、前記突起部の突出長さは、前記（Ｂ）の外装パネルの下端部の雌実の溝深さより大きいことが好ましい。
【発明の効果】
【００１４】
本発明の外装パネル用役物によれば、横張り形式および縦張り形式の外装パネルのいずれにも対応して、外装パネルの下端を安定に保持することができ、汎用性、製品価値を向上させることができる。
【図面の簡単な説明】
【００１５】
【図１】本発明の外装パネル用役物の一実施形態を例示した部分斜視図である。
【図２】本発明の外装パネル用役物を外装パネルの下端部に配設した一形態を例示した断面概要図である。
【図３】本発明の外装パネル用役物を外装パネルの下端部に配設した一形態を例示した断面概要図である。
【発明を実施するための形態】
【００１６】
図１は、本発明の外装パネル用役物の一実施形態を例示した部分斜視図である。
【００１７】
外装パネル用役物１は、外装パネル（図示していない）の下端部に沿って配設される長尺な部材である。具体的には、外装パネル用役物１は、（Ａ）左右の対向端部のうちの一方に雄実、他方に雌実が形成され、前記雄実と前記雌実との雄雌嵌合によって左右に連結される外装パネルの下端部に配設することができる。また、外装パネル用役物１は、（Ｂ）上下の対向端部のうち、上端部に雄実、下端部に雌実が形成され、前記雄実と前記雌実との雄雌嵌合によって上下に連結される外装パネルのうちの最下段の外装パネルの下端部に配設することができる。
【００１８】
外装パネル用役物１の材料としては、例えば、金属薄板、樹脂などを例示することができる。例えば、金属薄板の金属としては、鉄、アルミニウム、銅、ステンレス、チタン、アルミ・亜鉛合金などを例示することができ、樹脂としては、例えば、塩化ビニル樹脂、ポリカーボネイト樹脂などを例示することができる。また、これらを材料として適宜な色に着色されたものであってもよい。外装パネル用役物１の成形方法は特に限定されず、材料の種類などに応じて、プレス成形、押出成形などの公知の成形方法を適宜採用することができる。
【００１９】
外装パネル用役物１は、水平板部２と、化粧部３と、胴縁固定部４とを有している。
【００２０】
水平板部２は、長尺な平板状であり、水切り孔２Ａを備えた第１水平部２１と、通気孔２Ｂを備えた第２水平部２２とによって形成されている。外装パネル用役物１が外装パネルの下端に配設された状態においては、第１水平部２１が前方側（外側）、第２水平部２２が後方側（建物本体側）に位置する。
【００２１】
第１水平部２１の水切り孔２Ａは、第１水平部２１の厚さ方向に貫通しており、外装パネル用役物１の長手方向に沿って複数設けられている。水切り孔２Ａの形状、大きさ、配設位置、数などは、特に限定されず、水切り性などを考慮して適宜設計することができる。
【００２２】
第２水平部２２の通気孔２Ｂは、第２水平部２２の厚さ方向に貫通しており、外装パネル用役物１の長手方向に沿って複数設けられている。通気孔２Ｂの形状、大きさ、配設位置、数などは特に限定されないが、通気性を確保しつつ、虫や小動物などの侵入が抑制されるように設計することが望ましい。
【００２３】
第１水平部２１と第２水平部２２の幅（短手方向の長さ）は、必ずしも同等である必要はなく、化粧パネルや胴縁の厚さなどを考慮して適宜設計することができる。
【００２４】
化粧部３は、第１水平部２１の先端部から上方に起立して形成されており、外装パネルの下端を外側から保持する。化粧部３の上端部は内側下方に折り返しており、外装パネルを安定に保持可能とされている。化粧部３の起立高さは、外装パネルの外観性を損なうことなく、また、外装パネルの下端を保持可能な範囲で適宜設計することができる。
【００２５】
胴縁固定部４は、建物本体に配設された胴縁に対して、釘などの固着具などを打ち込むことで、胴縁に固定される。
【００２６】
胴縁固定部４は、第１水平部２１と第２水平部２２との間（水平板部２の短手方向の中央付近）から上方に起立しており、化粧部３と略平行に形成されている。胴縁固定部４の配設位置は、外装パネルの厚さなどを考慮して、化粧部３との間隔との関係で適宜設計することができる。すなわち、化粧部３と胴縁固定部４との間隔を外装パネルの厚さと略等しく設計することで、化粧部３と胴縁固定部４との間には外装パネルの下端を挿入することができる。また、胴縁固定部４は、化粧部３の上端部よりも上方に延びており、その上端部は、化粧部３側へ下方に折り返しているため、化粧部３とともに外装パネルを安定に保持可能とされている。
【００２７】
さらに、第１水平部２１の短手方向の中央付近には、上方へ突出する突起部５が配設されている。突起部５は、第１水平部２１から上方へ延びる起立部５１と、起立部５１の上端部から化粧部３側へ曲がる屈曲部５２と、屈曲部５２から下方へ延びる下向部５３とを有している。突起部５は、外装パネル用役物１の長手方向に沿って、化粧部３および胴縁固定部４と略平行に形成されている。
【００２８】
突起部５は、凹部を有する外装パネルの雌実に嵌合可能に形成されている。すなわち、突起部５の起立部５１と下向部５３との間隔は外装パネルの雌実の凹部の溝幅に対応し、突起部５の起立部５１の高さは、外装パネルの雌実の凹部の溝深さと対応して設計することができる。具体的には、突起部５の突出長さ（起立部５１の高さ）は、外装パネルの雌実の溝深さより大きく形成されていることが好ましい。
【００２９】
図２は、本発明の外装パネル用役物を外装パネルの下端部に配設した一形態を例示した断面概要図である。
【００３０】
固着具Ｔを介して、建物本体Ｈに胴縁Ｄが固定されている。また、建物本体Ｈの下方には水切り材６が配設されている。水切り材６は、固着具Ｔを介して建物本体Ｈと固定される垂直部６１と、垂直部６１の下端から斜め前方へ延びる傾斜部６２と、傾斜部６２の下端から下方へ延びる垂下部６３を有している。水切り材６が配設されていることで、外装パネルＳを伝って流れ落ちる雨水などを水切れよく地面に落下させることができる。
【００３１】
外装パネル用役物１は、胴縁固定部４が胴縁Ｄと当接対峙しており、固着具Ｔを介して固定されている。外装パネル用役物１の第２水平部２２は、胴縁Ｄの下方を覆っているため、胴縁Ｄは露出しておらず、外観性に優れている。また、第２水平部２２には通気孔２Ｂが設けられているため、胴縁Ｄ同士の隙間に空気が流れ込み、結露などに伴うカビや腐食の発生が抑制されている。
【００３２】
化粧部３と胴縁固定部４の間には、外装パネルＳの下端部Ｓ１が挿入されている。外装パネル用役物１の内部に雨水が浸入するのを抑制するため、化粧部３の上端部付近には、外装パネルＳとの間に水密材Ｍが配設されている。
【００３３】
外装パネルＳは、平板状であり、対向する左右の端部のうちの一方に雄実、他方に雌実が形成され、雄実と雌実との雄雌嵌合によって左右方向に隣接するもの同士が相互に連結される縦張り形式のものである。このため、外装パネルＳの下端部Ｓ１には実加工などは施されておらず、平坦に形成された外装パネルＳの下端部Ｓ１が、外装パネル用役物１の突起部５に当接して下方から支持されている。また、外装パネルＳの下端部Ｓ１は、前後に位置する化粧部３と胴縁固定部４とによって挟持されており、外装パネルＳの下端部Ｓ１は、突起部５、化粧部３および胴縁固定部４によって安定に保持されている。
【００３４】
また、外装パネルＳの下端部Ｓ１と第１水平部２１との間には、突起部５の突出長さに対応した隙間が形成されている。この隙間が形成されていることによって、外装パネルＳの表面を伝って外装パネル用役物１の内側に侵入した雨水などが水切り孔２Ａを通じて外部へと排水されやすくなるため、水切り性に優れている。
【００３５】
図３は、本発明の外装パネル用役物を外装パネルの下端部に配設した一形態を例示した断面概要図である。図２と共通する部分には同一の符号を付し、以下では説明を省略する。
【００３６】
外装パネルＳは、平板状であり、対向する上下の端部のうちの上端部に雄実（図示していない）、下端部Ｓ１に凹部Ｆ１を有する雌実Ｆが形成され、雄実と雌実Ｆとの雄雌嵌合によって上下方向に隣接するもの同士が相互に連結される横張り形式のものである。図３に示した外装パネルＳは、上下に連結された複数の外装パネルＳのうちの最下段のものである。
【００３７】
外装パネルＳの下端部Ｓ１は、前後に位置する化粧部３と胴縁固定部４とによって挟持されており、外装パネルＳの雌実Ｆの凹部Ｆ１には、外装パネル用役物１の突起部５が挿入され、嵌合している。突起部５は雌実Ｆの凹部Ｆ１の形状に対応して形成されているため安定して嵌合しており、外装パネルＳの下端部Ｓ１のぐらつきなどが抑制されている。このため、外装パネルＳの下端部Ｓ１は、突起部５、化粧部３および胴縁固定部４によって安定に保持されている。
【００３８】
また、突起部５の突出長さは、外装パネルＳの雌実Ｆ（凹部Ｆ１）の溝深さより大きく形成されているため、外装パネルＳの下端部Ｓ１と第１水平部２１との間には、隙間が形成されている。外装パネルＳの下端部Ｓ１と第１水平部２１との間に隙間が形成されていることによって、外装パネルＳを伝って内部に侵入した雨水などが水切り孔２Ａを通じて外部へと排水されやすくなるため、水切り性に優れている。
【００３９】
図２、図３に例示したように、本発明の外装パネル用役物１は、縦張り形式および横張り形式の外装パネルＳのいずれにも対応して配設することができ、外装パネルＳの下端部Ｓ１を安定に保持することができる。このため、外装パネル用役物１としての汎用性、製品価値を高めることができる。また、本発明の外装パネル用役物１は突起部５を有しているため、外装パネルＳの下端部Ｓ１と第１水平部２１との間に隙間を形成することができ、水切り孔２Ａが塞がれることなく、水切り性にも優れている。
【００４０】
本発明の外装パネル用役物は、以上の形態に限定されるものではない。例えば、突起部は、外装パネル用役物の長手方向に一体に連続する形態でも、分割されたものが複数配設された形態であってもよい。また、突起部の形状も外装パネルの形状などに応じて適宜設計することができる。
【符号の説明】
【００４１】
１    外装パネル用役物
２    水平板部
２Ａ  水切り孔
２Ｂ  通気孔
２１  第１水平部
２２  第２水平部
３    化粧部
４    胴縁固定部
５    突起部
Ｓ  外装パネル
Ｆ  雌実
【図１】
2013189769.tif 000003
【図２】
2013189769.tif 000004
【図３】
2013189769.tif 000005